(57)【要約】  本発明が解決しようとする課題は、簡単にきれいなフリル付きスカートやフリル付きブラウス等を低コストで製造することを可能にする。  本発明は、ベース布部１と、ベース布部１と二重の関係になるように必要な段数だけベース布部１の表側に設けられるフリル布部２と、ベース布部１とフリル布部２を重ね織りにより結合した接結部３と、経糸のみで作られフリル布部２の接結部３と反対側の先端からベース布部１を貫通して接結部３の一端とを連結するように設けられた連結部４とを連続的かつ一体的に織り上げたフリル付き織布であり、連結部４を切断してフリル布部２を持ち上げ、フリル布部２の先端のほつれを防止するためのメローロック等の加工を施すだけで簡単にきれいなフリルを作ることができるようにした。
2011142037.tif 000002
【特許請求の範囲】
【請求項１】
ベース布部と、このベース布部と二重の関係になるように必要な段数だけ前記ベース布部の表側に設けられるフリル布部と、前記ベース布部と前記フリル布部の一端を重ね織りにより結合した接結部と、経糸のみで作られ前記フリル布部の前記接結部と反対側の先端から前記ベース布部を貫通して接前期結部の一端とを連結するように設けられた連結部とを有することを特徴とするフリル付き織布。
【請求項２】
フリル布部と、このベース布部と二重の関係になるように必要な段数だけ前記ベース布部の表側に設けられるフリル布部と、前記ベース布部と前記フリル布部の両端を重ね織りにより結合した接結部と、前記フリル布部にフリル布部と異なる色の横糸を織り込むことにより設けられたカットラインを有することを特徴とするフリル付き織布。
【請求項３】
請求項１または請求項２記載のフリル付き織布において、  前記接結部３に伸ばして糊で固めた収縮性を有する糸を横糸として織り込み、その糊を洗い落して前記接結部を収縮させることによりベース布部及び各フリル布部に形成されるギャザーを有することを特徴とするフリル付き織布。
【請求項４】
請求項１から請求項３のいずれか１項に記載のフリル付き織布において、  全体がジャカード織りまたはドビー織りにより作成されていることを特徴とするフリル付き織布。
【発明の詳細な説明】
【技術分野】
【０００１】  本発明は、フリル付きスカートやフリルつきブラウス等の製造に用いるフリル付き織布に関する。
【背景技術】
【０００２】  衣料品分野において、フリル付きスカートやフリルつきブラウス等を製造する場合、フリルの端部処理や縫い付けは、殆どミシンを使用した縫製により行われている。【０００３】  例えば、３段のフリル付きスカートを製造する場合、従来は、所望の布地を所望の幅に裁断して３枚のフリル布を作り、各フリル布の端部のほつれを防ぐための処理を行う。フリルにギャザーを付ける場合は、各フリル布の上端側部分を縫い縮めることで、各フリルに均等にギャザーを施しておく。そして、フリルとは別に作成したスカート布に３枚のフリル布を下段から順に縫い付けてゆき、フリル付きスカートとして完成させる（例えば、非特許文献１参照）。
【先行技術文献】
【非特許文献】
【０００４】
【非特許文献１】『直線縫いなのにきれいなシルエットのスカート』（渡部サト著、河出書房新社出版、２００６年５月３０日発行、第４１頁）
【発明の概要】
【発明が解決しようとする課題】
【０００５】  しかしながら、上述した従来の技術においては、以下の問題がある。【０００６】  従来の技術では、上述の３枚のフリル布を作るための布地の裁断作業としては、４工程が必要である。また、３枚のフリル布の端部のほつれを防ぐための処理方法としては、メローロック、三巻、千鳥三巻等の方法があるが、その作業としてフリル布３枚分の両端部の処理としては、６工程が必要である。また、フリルにギャザーを付ける場合は、上記のように各フリル布の上端側部分を縫い縮めるが、３枚分の処理が必要であるため、作業としては、３工程が必要である。また、スカート布に３枚のフリル布を下段から順に縫い付ける場合、仕上げをきれいにみせるには、フリルの縫い付け位置に線で印をつけ、その目印の線の位置にフリル布を本縫ミシンで縫い付けるという手順がとられるが、この作業としては、６工程が必要である。さらに、フリル布の縫い付け位置を隠すために表縫ミシンで中縫いし、本縫ミシンで押えステッチを施すための作業としては、６工程が必要である。【０００７】  このように従来の技術では３段のフリルを作ってスカート布に縫い付ける場合でも、最低２５工程分の作業を必要とするため、製造に多大な手間と時間がかかり、製造コストが高くなるという問題がある。【０００８】  本発明は、このような問題を解決することを課題とする。
【課題を解決するための手段】
【０００９】  そのため、本発明のフリル付き織布は、ベース布部と、このベース布部と二重の関係になるように必要な段数だけ前記ベース布部の表側に設けられるフリル布部と、前記ベース布部と前記フリル布部の一端を重ね織りにより結合した接結部と、経糸のみで作られ前記フリル布部の前記接結部と反対側の先端から前記ベース布部を貫通して接前期結部の一端とを連結するように設けられた連結部とを有することを特徴とする。
【発明の効果】
【００１０】  このようにした本発明は、連結部を切断してフリル布部の先端をベース布部１から離した後、その先端のほつれを防止するためのメローロック等の加工を施すだけで簡単にきれいなフリルを作ることができるので、従来に比べて１／３〜１／４の工程でフリルを完成させることができ、しかも熟練を要する難しい縫製の技術が不要となるので、簡単にきれいなフリル付きスカートやフリル付きブラウス等を低コストで製造することができるという効果が得られる。
【図面の簡単な説明】
【００１１】
【図１】第１の実施例を示す要部側面図
【図２】第１の実施例を示す要部斜視図
【図３】第１の実施例における連結部の部分斜視図
【図４】第１の実施例のフリルを完成させる工程を示す要部側面図
【図５】第１の実施例のフリルを完成させる工程を示す要部斜視図
【図６】第２の実施例を示す要部側面図
【図７】第２の実施例を示す要部斜視図
【図８】第２の実施例のフリルを完成させる工程を示す要部側面図
【図９】第２の実施例のフリルを完成させる工程を示す要部斜視図
【発明を実施するための形態】
【００１２】  以下、図面を参照して本発明によるフリル付き織布の実施例を説明する。
【実施例１】
【００１３】  図１は第１の実施例を示す要部側面図、図２は第１の実施例を示す要部斜視図で、図において１はベース布部、２はフリル布部、３は接結部、４は連結部であり、これらベース布部１、フリル布部２、接結部３、及び連結部４は、ジャカード織機により連続的かつ一体的に織り上げられている。【００１４】  ここで、ベース布部１はスカートやブラウス等のベースとなる布部であり、またフリル布部２は飾りのフリルとなる布部で、このフリル布部２はベース布部１と二重の関係になるように必要な段数（枚数）だけベース布部１の表側に設けられる。接結部３はベース布部１とフリル布部２を重ね織りにした部分で、この接結部３によりフリル布部２の一端はベース布部１に結合されている。また、接結部３には横糸に収縮性を有する糸としてウレタン糸が用いられている。このウレタン糸は、伸ばして糊で固めたものが用いられ、横糸として織り込んだ後、糊を洗い落として接結部３を収縮させることにより、ベース布部１及び各フリル布部２の接結部３側の部分に、均等な間隔でギャザー５を作り出している。【００１５】  図３は連結部４の部分斜視図である。連結部４は経糸のみで作られる部分で、フリル布部２の接結部３と反対側の端部（以下先端）からベース布部１を貫通して接結部３の一端とを連結するように設けられており、ベース布部１の裏側で弛みを持たせて鋏等の切断具が差し込めるようにしている。【００１６】  図４はフリルを完成させる工程を示す要部側面図、図５はその要部斜視図で、上記のように織り上げたフリル付き織布の連結部４を、ベース布部１の裏側で弛みを持たせた部分に鋏等の切断具を差し込んで、切断する。そして、切断後、フリル布部２を持ち上げると、図４及び図５に示したようにフリル布部２の先端はベース布部１から離れるので、フリル布部２の先端のほつれを防止するため、メローロック等の加工を施すことで、フリルが完成する。尚、接結部３側には連結部４の経糸が残るが、接結部３は重ね織により固く織り上げられているので、接結部３にほつれが生じる心配はない。【００１７】  このようにしてフリルを完成させたフリル付き織布は、縫製によりフリル付きスカートを容易に製造することができる他、このフリル付き織布を利用することで胴部や袖にフリルのついたブラウス等の衣装を製造することも可能であり、更にフリルつきの装飾品、小物等の製造に用いることができる。【００１８】  以上説明したように第１の実施例によるフリル付き織布は、ベース布部１と、このベース布部１と二重の関係になるように必要な段数（枚数）だけベース布部１の表側に設けられるフリル布部２と、ベース布部１とフリル布部２を重ね織りにより結合した接結部３と、経糸のみで作られフリル布部２の接結部３と反対側の先端からベース布部１を貫通して接結部３の一端とを連結するように設けられた連結部４とを連続的かつ一体的に織り上げたものとしているため、連結部４を切断し、フリル布部２を持ち上げてベース布部１から離した後、フリル布部２の先端のほつれを防止するためのメローロック等の加工を施すだけで簡単にきれいなフリルを作ることができる。【００１９】  また、接結部３には伸ばして糊で固めたウレタン糸を横糸として織���込んでいるため、その糊を洗い落として接結部３を収縮させることにより、ベース布部１及び各フリル布部２の接結部３側の部分に均等な間隔でギャザー５を作り出すことができ、更にフリル布部２、接結部３、及び連結部４は、例えばスカートを製造する場合、スカートのウエストから裾までのベース布部１をジャカード織りにより織り上げる一連の過程でベース布部１と共に織り込むことができるので、製造が極めて容易である。【００２０】  このように第１の実施例によるフリル付き織布は、フリルの完成までの工程が縫製による通常のフリル加工に比べて短縮され、例えば、三段フリルを作る場合の工程を比較すると、従来行われていた縫製による通常のフリル加工では最低でも２５工程を必要とするのに対し、第１の実施例によれば連結部４の切断に３工程、フリル布部２の先端のほつれを防止するためのメローロック等の加工に３工程の合計６工程で済むので、従来に比べてほぼ１／４の工程で完成させることができ、しかも熟練を要する難しい縫製の技術が不要となるので、簡単にきれいなフリル付きスカートやフリル付きブラウス等を低コストで製造することができるという効果が得られる。
【実施例２】
【００２１】  図６は第２の実施例を示す要部側面図、図７は第２の実施例を示す要部斜視図で、この第２の実施例はフリルをリボンフリルとするものである。この第２の実施例では第１の実施例における連結部４を省略し、フリル布部２をベース布部１と二重の関係になるように必要な段数（枚数）だけベース布部１の表側に設けて、フリル布部２の両端をベース布部１と重ね織りすることにより接結部３を作成することで、フリル布部２をベース布部１に接結部３により結合すると共に、各フリル布２の所望の部分、例えば中央部にフリル布部２と異なる色の横糸を織り込んでカットライン（切断用線）６を設けたものとしている。【００２２】  この第２の実施例においても、ベース布部１、フリル布部２、及び接結部３は、ジャカード織機により連続的かつ一体的に織り上げられており、そして、接結部３には伸ばして糊で固めた収縮性を有する糸としてのウレタン糸を横糸として織り込み、その糊を洗い落とすことで接結部３を収縮させることによりベース布部１及び各フリル布部２の接結部３側の部分に均等な間隔でギャザー５を作り出している。【００２３】  図８はリボンフリルを完成させる工程を示す要部側面図、図５はその要部斜視図で、上記のように織り上げたフリル付き織布のフリル布部２をカットラン６に従って鋏等の切断で切断する。これによりフリル布部２は接結部３間で二分割されるので、分割したそれぞれの先端のほつれを防止するためメローロック等の加工を施すことで、リボンフリルが完成する。【００２４】  このようにしてリボンフリルを完成させたフリル付き織布は、縫製によりリボンフリル付きスカートを容易に製造することができる他、このフリル付き織布を利用することで胴部や袖にリボンフリルのついたブラウス等の衣装を製造することも可能であり、更にリボンフリルつきの装飾品、小物等の製造に用いることができる。【００２５】  以上説明したように第２の実施例によるフリル付き織布は、フリル布部２をベース布部１と二重の関係になるように必要な段数（枚数）だけベース布部１の表側に設けて、フリル布部２の両端をベース布部１と重ね織りすることにより接結部３を作成することで、フリル布部２をベース布部１に接結部３により結合すると共に、各フリル布２の所望の部分、例えば中央部にフリル布部２と異なる色の横糸を織り込んでカットライン６を設けたものとしているため、フリル布部２をカットラン６に従って鋏等の切断で切断することによりフリル布部２を接結部３間で分割し、分割したそれぞれの先端のほつれを防止するためのメローロック等の加工を施すだけで簡単にきれいなリボンフリルを作ることができる。【００２６】  また、接結部３には伸ばして糊で固めたウレタン糸を横糸として織り込んでいるため、その糊を洗い落とすことで接結部３を収縮させることによりベース布部１及び各フリル布部２の接結部３側の部分に均等な間隔でギャザー５を作り出すことができ、更にフリル布部２、及び接結部３４は、例えばスカートを製造する場合、スカートのウエストから裾までのベース布部１をジャカード織りにより織り上げる一連の過程でベース布部１と共に織り込むことができるので、製造が極めて容易である。【００２７】  このよ���に第１の実施例によるフリル付き織布は、リボンフリルの完成までの工程が縫製による通常のフリル加工に比べて短縮され、例えば、三段のリボンフリルを作る場合の工程を比較すると、従来行われていた縫製による通常のフリル加工では最低でも２８工程を必要とするのに対し、第１の実施例によれば連結部４の切断に３工程、フリル布部２の先端のほつれを防止するためのメローロック等の加工に６工程の合計９工程で済むので、従来に比べて１／３〜１／４の工程で完成させることができ、しかも熟練を要する難しい縫製の技術が不要となるので、簡単にきれいなリボンフリル付きスカートやリボンフリル付きブラウス等を低コストで製造することができるという効果が得られる。【００２８】  尚、上述した第１、第２実施例では、全体をジャカード織により織り上げるものとしたが、ドビー織等により織り上げるものとしてもよい。
【符号の説明】
【００２９】  １    ベース布部  ２    フリル布部  ３    接結部  ４    連結部  ５    ギャザー  ６    カットライン 
【図１】
2011142037.tif 000003
【図２】
2011142037.tif 000004
【図３】
2011142037.tif 000005
【図４】
2011142037.tif 000006
【図５】
2011142037.tif 000007
【図６】
2011142037.tif 000008
【図７】
2011142037.tif 000009
【図８】
2011142037.tif 000010
【図９】
2011142037.tif 000011
【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
ベース布部と、このベース布部と二重の関係になるように必要な段数だけ前記ベース布部の表側に設けられるフリル布部と、前記ベース布部と前記フリル布部の一端を重ね織りにより結合した接結部と、経糸のみで作られ前記フリル布部の前記接結部と反対側の先端から前記ベース布部を貫通して前記接結部の一端とを連結するように設けられた連結部とを有することを特徴とするフリル付き織布。
【請求項２】
ベース布部と、このベース布部と二重の関係になるように必要な段数だけ前記ベース布部の表側に設けられるフリル布部と、前記ベース布部と前記フリル布部の両端を重ね織りにより結合した接結部と、前記フリル布部にフリル布部と異なる色の横糸を織り込むことにより設けられたカットラインを有することを特徴とするフリル付き織布。
【請求項３】
請求項１または請求項２記載のフリル付き織布において、
前記接結部３に伸ばして糊で固めた収縮性を有する糸を横糸として織り込み、その糊を洗い落して前記接結部を収縮させることによりベース布部及び各フリル布部に形成されるギャザーを有することを特徴とするフリル付き織布。
【請求項４】
請求項１から請求項３のいずれか１項に記載のフリル付き織布において、
全体がジャカード織りまたはドビー織りにより作成されていることを特徴とするフリル付き織布。
【手続補正２】
【補正対象書類名】明細書
【補正対象項目名】００２３
【補正方法】変更
【補正の内容】
【００２３】
図８はリボンフリルを完成させる工程を示す要部側面図、図５はその要部斜視図で、上記のように織り上げたフリル付き織布のフリル布部２をカットラン６に従って鋏等の切断具で切断する。これによりフリル布部２は接結部３間で二分割されるので、分割したそれぞれの先端のほつれを防止するためメローロック等の加工を施すことで、リボンフリルが完成する。
【手続補正３】
【補正対象書類名】明細書
【補正対象項目名】００２５
【補正方法】変更
【補正の内容】
【００２５】
以上説明したように第２の実施例によるフリル付き織布は、フリル布部２をベース布部１と二重の関係になるように必要な段数（枚数）だけベース布部１の表側に設けて、フリル布部２の両端をベース布部１と重ね織りすることにより接結部３を作成することで、フリル布部２をベース布部１に接結部３により結合すると共に、各フリル布２の所望の部分、例えば中央部にフリル布部２と異なる色の横糸を織り込んでカットライン６を設けたものとしているため、フリル布部２をカットラン６に従って鋏等の切断具で切断することによりフリル布部２を接結部３間で分割し、分割したそれぞれの先端のほつれを防止するためのメローロック等の加工を施すだけで簡単にきれいなリボンフリルを作ることができる。
【手続補正４】
【補正対象書類名】明細書
【補正対象項目名】００２６
【補正方法】変更
【補正の内容】
【００２６】
また、接結部３には伸ばして糊で固めたウレタン糸を横糸として織り込んでいるため、その糊を洗い落とすことで接結部３を収縮させることによりベース布部１及び各フリル布部２の接結部３側の部分に均等な間隔でギャザー５を作り出すことができ、更にフリル布部２、及び接結部３は、例えばスカートを製造する場合、スカートのウエストから裾までのベース布部１をジャカード織りにより織り上げる一連の過程でベース布部１と共に織り込むことができるので、製造が極めて容易である。
【手続補正５】
【補正対象書類名】明細書
【補正対象項目名】００２７
【補正方法】変更
【補正の内容】
【００２７】
このように第２の実施例によるフリル付き織布は、リボンフリルの完成までの工程が縫製による通常のフリル加工に比べて短縮され、例えば、三段のリボンフリルを作る場合の工程を比較すると、従来行われていた縫製による通常のフリル加工では最低でも２８工程を必要とするのに対し、第２の実施例によれば連結部４の切断に３工程、フリル布部２の先端のほつれを防止するためのメローロック等の加工に６工程の合計９工程で済むので、従来に比べて１／３〜１／４の工程で完成させることができ、しかも熟練を要する難しい縫製の技術が不要となるので、簡単にきれいなリボンフリル付きスカートやリボンフリル付きブラウス等を低コストで製造することができるという効果が得られる。
【国際調査報告】
2011142037.tif 000012
2011142037.tif 000013